(57)【要約】【課題】  本発明は携帯電話機の吊り下げる機能は勿論、ネクタイやマフラーとして使用できる機能や、広告機能等を有する携帯電話機用ストラップを得るにある。【解決手段】  ネクタイとほぼ同じ長さに形成されたストラップ本体と、このストラップ本体の一端部あるいは一端部寄りの部位に取付けられた携帯電話機を取付けることができる取付け具とで携帯電話機用ストラップを構成している。【選択図】  図３
2007296217.tif 000002
【特許請求の範囲】
【請求項１】
ネクタイとほぼ同じ長さに形成されたストラップ本体と、このストラップ本体の一端部あるいは一端部寄りの部位に取付けられた携帯電話機を取付けることができる取付け具とからなることを特徴とする携帯電話機用ストラップ。
【請求項２】
ネクタイとほぼ同じ長さと幅寸法に形成されたストラップ本体と、このストラップ本体の一端部あるいは一端部寄りの部位に取付けられた携帯電話機に取付けることができる取付け具と、前記ストラップ本体にプリントされた広告文字とからなることを特徴とする携帯電話機用ストラップ。
【発明の詳細な説明】
【技術分野】
【０００１】
本発明は携帯電話機を首にぶら下げることができる携帯電話機用ストラップ                  に関する。
【背景技術】
【０００２】
従来の携帯電話機用ストラップはほぼ１０ｍｍ幅寸法の帯状のストラップ本体の両端部に携帯電話機に取付けることができる取付け具を取付けている。
【０００３】
このため、従来の携帯電話機用ストラップには携帯電話機を首から吊り下げる機能しかないという欠点があった。
【特許文献１】特開２００５−５２９
【発明の開示】
【発明が解決しようとする課題】
【０００４】
本発明は以上のような従来の欠点に鑑み、携帯電話機の吊り下げる機能は勿論、ネクタイやマフラーとして使用できる機能や、広告機能等を有する携帯電話機用ストラップを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はネクタイとほぼ同じ長さに形成されたストラップ本体と、このストラップ本体の一端部あるいは一端部寄りの部位に取付けられた携帯電話機を取付けることができる取付け具とで携帯電話機用ストラップを構成している。
【発明の効果】
【０００７】
以上の説明から明らかなように、本発明にあっては次に列挙する効果が得られる。
【０００８】
（１）ネクタイとほぼ同じ長さに形成されたストラップ本体と、このストラップ本体の一端部あるいは一端部寄りの部位に取付けられた携帯電話機を取付けることができる取付け具とで構成されているので、ストラップ本体をネクタイ状に首に取付けることにより、ネクタイ兼携帯電話機のストラップとして使用することができる。
【０００９】
（２）前記（１）によって、ストラップ本体を首にマフラー状に取付けることもできる。
したがって、首への異なる取付けにより、楽しく使用することができる。
【００１０】
（３）前記（１）によって、ストラップ本体の一端部あるいは一端部寄りの部位に取付け具が取付けられているので、携帯電話機が位置する部位をネクタイ結びあるいはマフラー結びで自由に調整でき、従来のループ状のストラップ本体のように結びを形成して長さ調整するもののように見苦しくなるのを効率よく防止することができる。
【００１１】
（４）請求項２も前記（１）〜（３）と同様な効果が得られるとともに、ストラップ本体にプリントされた広告文字によって、広告宣伝効果も得られる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１は本発明の携帯電話機用ストラップで、この携帯電話機用ストラップ１はネクタイとほぼ同じ長さと幅寸法に形成されたストラップ本体２と、このストラップ本体２の一端部に取付けられた携帯電話機３を取付けることができる取付け具４とで構成されている。
【００１４】
前記取付け具４は前記ストラップ本体２の一端部に取付けられた係止片５と、この係止片５と着脱可能に取付けられる係止具６と、この係止具６に一端部が固定された携帯電話機３に取付けるためのループ状の紐７とで構成されている。
【００１５】
上記構成の携帯電話機用ストラップ１は図５に示すように、ストラップ本体２をネクタイと同様に首に取付け、携帯電話機３を吊り下げたり、仮想線で示すように服のポケット８に収納して使用することができる。
また、図６に示すようにマフラーのようにストラップ本体２を首に取付け、携帯電話機３を吊り下げたり、仮想線で示すように服のポケット８に収納して使用することができる。
[発明を実施するための異なる形態]
【００１６】
次に、図７ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図７ないし図９に示す本発明を実施するための第２の形態において、前記本発明を実施するための最良の第１の形態と主に異なる点は、ストラップ本体２の表面に広告文字９をプリントするとともに、一端部に係止具６を取付け、この係止具６に着脱可能に係止される係止片５に携帯電話機３に取付けられるループ状の紐７を取付けた取付け具４Ａを用いた点で、このように構成した携帯電話機用ストラップ１Ａにしても、前記本発明を実施するための最良の第１の形態と同様な作用効果が得られるとともに、ストラップ本体２の広告文字９によって広告宣伝の効果が得られる。
【００１８】
図１０ないし図１２に示す本発明を実施するための第３の形態において、前記本発明を実施するための最良の第１の形態と主に異なる点は、ストラップ本体２の一端部寄りの部位に取付け具４の係止片５を取付けた点で、このように構成した携帯電話機用ストラップ１Ｂにしても、前記本発明を実施するための最良の第１の形態と同様な作用効果が得られる。
【００１９】
図１３ないし図１５に示す本発明を実施するための第４の形態において、前記本発明を実施するための最良の第１の形態と主に異なる点は、広幅の帯状のストラップ本体２Ａを用いた点で、このようなストラップ本体２Ａを用いて構成した携帯電話機用ストラップ１Ｃにしても、前記本発明を実施するための最良の第１の形態と同様な作用効果が得られる。
【００２０】
なお、本願発明はストラップ本体２、２Ａに取付けられた取付け具４、４Ａ以外の取付け具を用いてもよい。
【産業上の利用可能性】
【００２１】
本発明は携帯電話機用ストラップを製造する産業で利用される。
【図面の簡単な説明】
【００２２】
【図１】本発明を実施するための最良の第１の形態の平面図。
【図２】本発明を実施するための最良の第１の形態の正面図。
【図３】本発明を実施するための最良の第１の形態の携帯電話機を取付けた説明図。
【図４】本発明を実施するための最良の第１の形態の携帯電話機を外した状態の説明図。
【図５】本発明を実施するための最良の第１の形態の使用状態の説明図。
【図６】本発明を実施するための最良の第１の形態の異なる使用状態の説明図。
【図７】本発明を実施するための第２の形態の平面図。
【図８】本発明を実施するための第２の形態の正面図。
【図９】本発明を実施するための第２の形態の携帯電話機を取付けた状態の説明図。
【図１０】本発明を実施するための第３の形態の平面図。
【図１１】本発明を実施するための第３の形態の正面図。
【図１２】本発明を実施するための第３の形態の携帯電話機を取付けた状態の説明図。
【図１３】本発明を実施するための第４の形態の平面図。
【図１４】本発明を実施するための第４の形態の正面図。
【図１５】本発明を実施するための第４の形態の携帯電話機を取付けた状態の説明図。
【符号の説明】
【００２３】
１、１Ａ、１Ｂ、１Ｃ：携帯電話機用ストラップ、
２、２Ａ：ストラップ本体            、        ３：携帯電話機、
４、４Ａ：取付け具、                    ５：係止片、            
６：係止具、                                                ７：ループ状の紐、
８：ポケット、                                ９：広告文字。
【図１】
2007296217.tif 000003
【図２】
2007296217.tif 000004
【図３】
2007296217.tif 000005
【図４】
2007296217.tif 000006
【図５】
2007296217.tif 000007
【図６】
2007296217.tif 000008
【図７】
2007296217.tif 000009
【図８】
2007296217.tif 000010
【図９】
2007296217.tif 000011
【図１０】
2007296217.tif 000012
【図１１】
2007296217.tif 000013
【図１２】
2007296217.tif 000014
【図１３】
2007296217.tif 000015
【図１４】
2007296217.tif 000016
【図１５】
2007296217.tif 000017